(57)【要約】【課題】バックライトシャーシの寸法を縮小することによる省材料及び軽量化を実現し、かつ光漏れの問題を解決可能な表示装置を提供する【解決手段】液晶表示パネル１と、光源４１と、一辺側の面から入射した光源４１の光を液晶表示パネル４の後面側に導く導光板４２と、該導光板４２の背面側を覆う反射シートと、光源４１及び反射シートの背面側に配されたバックライトシャーシ４５と、液晶表示パネル４、導光板４２等の周囲を覆うフロントキャビネット２１と、バックライトシャーシ４５の背面側を覆うバックキャビネット２２とを備える表示装置において、バックライトシャーシ４５は、光源４１及び反射シートの下辺側を覆うように構成されており、バックキャビネット２２は、バックライトシャーシ４５に対向している部分に放熱孔を有し、バックライトシャーシ４５に対向している空間と、反射シートに対向している空間とを仕切る仕切構造２２ｅを備える。【選択図】図３
2013254155.tif 000002
【特許請求の範囲】
【請求項１】
前側に表示面を有する液晶表示パネルと、該液晶表示パネルの後面側に配され、光源と対向する一辺側の面から入射した光を前記液晶表示パネルの後面側に導く略矩形板状の導光板と、該導光板の後面側を覆う反射シートと、前記光源及び前記反射シートの後面側に配された非透光性のシャーシと、前記液晶表示パネル、導光板及び反射シートの周囲を覆うフロントキャビネットと、前記シャーシ及び反射シートの後面側を覆うバックキャビネットとを備える表示装置において、
前記シャーシは、
前記光源及び前記反射シートの前記一辺側を覆うように構成されており、
前記バックキャビネットは、
前記シャーシに対向している部分に放熱孔を有し、
前記シャーシに対向している空間と、前記反射シートに対向している空間とを仕切る仕切構造を有する
ことを特徴とする表示装置。
【請求項２】
前記シャーシは、
縁部分から後面側へ突出し、前記バックキャビネットの前記仕切構造に当接する当接部を備える
ことを特徴とする請求項１に記載の表示装置。
【請求項３】
前記バックキャビネットは、
該バックキャビネットを補強するリブを前記反射シートに対向する部分に備え、
前記シャーシは前記リブに固定されている
ことを特徴とする請求項１又は請求項２に記載の表示装置。
【請求項４】
前記バックキャビネットは、
一部が前記反射シートに当接している
ことを特徴とする請求項１から請求項３までのいずれか一つに記載の表示装置。
【請求項５】
前記反射シートに当接している部分はハニカム構造をなす
ことを特徴とする請求項４に記載の表示装置。
【請求項６】
請求項１から５のいずれか一つに記載の表示装置と、
テレビジョン放送を受信する受信部と
を備え、
前記表示装置は前記受信部が受信したテレビジョン放送の映像を表示するようにしてある
ことを特徴とするテレビジョン受信機。
【発明の詳細な説明】
【技術分野】
【０００１】
本発明は、エッジライト方式のバックライトを有する表示装置に関し、特に液晶表示パネルの後面側の一部をバックライトシャーシで覆うように構成した表示装置及びテレビジョン受信機に関する。
【背景技術】
【０００２】
近年、液晶表示装置の薄型化、省材料及び軽量化が進んでおり、液晶表示パネルモジュール構造の改善が検討されている。例えば、液晶表示パネル、及び該液晶表示パネルを背面側から照明するバックライト装置をフロントキャビネットに支持させる構造が提案されている（例えば、特許文献１）。バックライト装置は、液晶表示パネルの背面側に配された光学シート、導光板及び拡散シート等で構成され、最背面側は金属製のバックライトシャーシで覆われている。バックライトシャーシには、電源回路基板、映像表示回路基板等の各種回路基板が配されている。
【先行技術文献】
【特許文献】
【０００３】
【特許文献１】特開平１１−３３７９３７号公報
【発明の概要】
【発明が解決しようとする課題】
【０００４】
本願発明者は、液晶表示装置の省材料及び軽量化を検討し、液晶表示パネルの背面側全域を覆っていたバックライトシャーシの寸法を、回路基板を配置可能な寸法まで縮小することを発案した。
しかしながら、バックライトシャーシを縮小化した場合、液晶表示パネルの背面側に配された反射シートの全面をバックライトシャーシで覆うことができなくなり、バックライト装置からの光が、バックキャビネットの放熱孔などから外部へ漏れ出るという問題があった。
本発明は斯かる事情に鑑みてなされたものであり、バックライトシャーシの寸法を縮小することによる省材料及び軽量化を実現し、かつ光漏れの問題を解決することができる表示装置及びテレビジョン受信機を提供することにある。
【課題を解決するための手段】
【０００５】
本発明に係る表示装置は、前側に表示面を有する液晶表示パネルと、該液晶表示パネルの後面側に配され、光源と対向する一辺側の面から入射した光を前記液晶表示パネルの後面側に導く略矩形板状の導光板と、該導光板の後面側を覆う反射シートと、前記光源及び前記反射シートの後面側に配された非透光性のシャーシと、前記液晶表示パネル、導光板及び反射シートの周囲を覆うフロントキャビネットと、前記シャーシ及び反射シートの後面側を覆うバックキャビネットとを備える表示装置において、前記シャーシは、前記光源及び前記反射シートの前記一辺側を覆うように構成されており、前記バックキャビネットは、前記シャーシに対向している部分に放熱孔を有し、前記シャーシに対向している空間と、前記反射シートに対向している空間とを仕切る仕切構造を有することを特徴とする。
【０００６】
本発明によれば、シャーシは、光源及び反射シートの一辺側を覆うように構成されているため、導光板によって光源から導かれた光は反射シートを透過し、バックキャビネット側に漏れ出す。バックキャビネットは、シャーシに対向している空間と、反射シートに対向している空間とを仕切る仕切構造を有しているため、反射シートからバックキャビネット側に漏れ出た光が、シャーシに対向している空間、即ち放熱孔が設けられた空間に侵入することを防止することが可能である。よって、バックキャビネットから外部への光漏れを防止することができる。
【０００７】
本発明に係る表示装置は、前記シャーシは、縁部分から後面側へ突出し、前記バックキャビネットの前記仕切構造に当接する当接部を備えることを特徴とする。
【０００８】
本発明によれば、バックキャビネットと、シャーシの当接部とが当接している。従って、バックキャビネットと、シャーシの平面とを当接させる場合に比べ、反射シートからバックキャビネット側に漏れ出た光が、シャーシに対向している空間に侵入することをより確実に防止することが可能である。
また、シャーシは後面側に突出した当接部、即ち凸構造を有するため、表示装置の曲げ強度を向上させることが可能である。
【０００９】
本発明に係る表示装置は、前記バックキャビネットは、該バックキャビネットを補強するリブを前記反射シートに対向する部分に備え、前記シャーシは前記リブに固定されていることを特徴とする。
【００１０】
本発明によれば、バックキャビネットは補強用のリブを備え、シャーシは該リブに締結されているため、シャーシで覆われていない部分の曲げ強度を向上させることが可能である。リブの幅及び長さは、表示装置の曲げ強度を向上させることができれば、特に限定されるものでは無い。
【００１１】
本発明に係る表示装置は、前記バックキャビネットは、一部が前記反射シートに当接していることを特徴とする。
【００１２】
本発明によれば、バックキャビネットの一部が反射シートに当接しているため、反射シートの浮きを防止することが可能である。
【００１３】
本発明に係る表示装置は、前記反射シートに当接している部分はハニカム構造をなすことを特徴とする。
【００１４】
本発明によれば、反射シートに当接している部分はハニカム構造をなしているため、シャーシで覆われていない部分の曲げ強度を向上させることが可能であり、反射シートの浮きをより効果的に防止することも可能である。
【００１５】
本発明に係るテレビジョン受信機は、上述のいずれか一つの表示装置と、テレビジョン放送を受信する受信部とを備え、前記表示装置は前記受信部が受信したテレビジョン放送の映像を表示するようにしてあることを特徴とする。
【００１６】
本発明によれば、テレビジョン放送の映像を表示することが可能である。
【発明の効果】
【００１７】
本発明によれば、バックライトシャーシの寸法を縮小することによる省材料及び軽量化を実現し、かつ光漏れの問題を解決することができる。
【図面の簡単な説明】
【００１８】
【図１】実施の形態に係る表示装置の斜視図である。
【図２】表示装置の背面図である。
【図３】図２のIII−III線断面図である。
【図４】図２のIV−IV線断面図である。
【図５】バックキャビネットの側断面図である。
【図６】バックキャビネットを取り外した状態にある表示装置の側断面図である。
【図７】表示装置の要部を示した部分拡大側断面図である。
【図８】バックキャビネットを取り外した状態にある表示装置の背面図である。
【図９】バックキャビネットの当接部位を示した正面図である。
【発明を実施するための形態】
【００１９】
以下、本発明をその実施の形態を示す図面に基づいて詳述する。図１は、実施の形態に係る表示装置の斜視図、図２は、表示装置の背面図、図３は、図２のIII−III線断面図、図４は、図２のIV−IV線断面図、図５は、バックキャビネット２２の側断面図、図６は、バックキャビネット２２を取り外した状態にある表示装置の側断面図である。
【００２０】
本発明の実施の形態に係る表示装置は、例えば、液晶テレビなどのテレビ受像機であり、正面視が略方形の液晶表示パネル１と、液晶表示パネル１を後側から照明するバックライト装置４と、液晶表示パネル１及びバックライト装置４の周縁部、並びにバックライト装置４の後面側を覆うキャビネット２と、キャビネット２に覆われた液晶表示パネル１及びバックライト装置４を起立状態で支持するスタンド３とを備える。
【００２１】
液晶表示パネル１は、透明電極が配された対向する２枚のガラス基板に液晶を封入してなり、正面側のガラス基板にはカラーフィルタが配設され、各ガラス基板の前後には偏光板が配されている。液晶表示パネル１は、後述する受信部で受信したテレビジョン信号に基づいて、該テレビジョン信号に係る映像を表示する。
【００２２】
バックライト装置４は、液晶表示パネル１の下辺側に配された光源４１と、液晶表示パネル１の背面側に配されており、該光源４１の光を液晶表示パネル１の背面側全体に導く導光板４２と、導光板４２からの光を均一光にする光学シート４３（図７参照）と、該導光板４２の背面側全体を覆う反射シート４４（図７参照）と、光源４１及び反射シート４４の背面側下半分を覆う略矩形状をなし、非透光性のバックライトシャーシ４５とを有する。光源４１は、例えば液晶表示パネル１の下辺と略同寸法の長尺の基板に配列したＬＥＤであり、導光板４２の下辺部に向けて光を出射する。
【００２３】
図７は、表示装置の要部を示した部分拡大側断面図、図８は、バックキャビネット２２を取り外した状態にある表示装置の背面図である。バックライトシャーシ４５は、上辺部から背面側へ突出し、バックキャビネット２２に当接する当接部４５ａを備える。当接部４５ａは、液晶表示パネル１の横方向両端に亘る長尺状をなし、図７に示すように正面側に開口した側断面視略矩形状の曲げ構造部である。より具体的には、当接部４５ａは、バックライトシャーシ４５の上端部から背面側へ略垂直に屈曲した板片と、該板片の背面側の辺から上方へ略垂直に屈曲した板片と、該板片の上端部から正面側へ略垂直に屈曲した板片とから構成されている。更に、バックライトシャーシ４５は、当接部４５ａの背面側の上端部から上方へ延設されており、バックキャビネット２２をバックライトシャーシ４５に締結するための被締結板片４５ｂを有する。
【００２４】
このように構成されたバックライト装置４によれば、光源４１から導光板４２に入射した光は、該導光板４２によって液晶表示パネル１の背面側全体に導かれる。導光板４２から背面側に漏れ出た光は、導光板４２の背面側に配された反射シート４４によって反射され、再び導光板４２に入射する。導光板４２から正面側、即ち液晶表示パネル１側に出射した光は光学シート４３によって略均一に拡散され、均一に拡散した光が液晶表示パネル１の背面側から入射する。ただし、反射シート４４の上半分はバックライトシャーシ４５によって覆われていないため、反射シート４４を一部透過した光がバックキャビネット２２側へ漏れ出すような構成である。
【００２５】
バックライトシャーシ４５の背面側には、電源回路５１と、テレビジョン信号を受信する受信部を含む映像処理回路５２とが取り付けられている。電源回路５１は映像処理回路５２、スピーカ等の各種電気部品に直流電力を供給する。映像処理回路５２の受信部は、例えばデジタルチューナであり、テレビジョン信号を受信して選局を行い、選局されたチャンネル即ち特定の周波数帯の放送信号をＭＰＥＧ（Moving Picture Experts Group）−２ＴＳ（Transport Stream）等のデータに変換し、該データを、映像処理回路に与える。映像処理回路ではデータのデコード、その他の各種処理を実行し、映像の信号を液晶表示パネル１に与える。
【００２６】
キャビネット２は、液晶表示パネル１、導光板４２、光学シート４３及び反射シート４４の周囲を覆うフロントキャビネット２１と、バックライトシャーシ４５及び反射シート４４の背面側を覆うバックキャビネット２２とで構成されている。
【００２７】
フロントキャビネット２１は、横長矩形の枠状であり、裏面には、液晶表示パネル１、光学シート４３及び導光板４２を保持する複数の係止爪が設けられている。液晶表示パネル１、光学シート４３及び導光板４２は、金属ベゼルで覆われておらず、係止爪によってフロントキャビネット２１に直接固定されている。なお、反射シート４４も、前記係止爪で固定するように構成しても良い。
【００２８】
バックキャビネット２２は、該バックキャビネット２２の下半分を構成しており、バックライトシャーシ４５と離隔対向しているシャーシ対向部２２ａと、上半分を構成しており、反射シート４４と対向しているシート対向部２２ｂとを有する。シャーシ対向部２２ａと、シート対向部２２ｂとの境界部分には、バックライトシャーシ４５の当接部４５ａに当接することによって、バックライトシャーシ４５に対向している下半分の空間と、反射シート４４に対向している上半分の空間とを仕切り、反射シート４４から前記上半分の空間に漏れ出た光が、前記下半分の空間に侵入することを防止する仕切構造２２ｅを有する。仕切構造２２ｅは、具体的には、当接部４５ａの最背面に略平行な平板部分であり、該最背面に当接する構造部である。シャーシ対向部２２ａには電源回路５１及び映像処理回路５２で発生した熱を放熱するための放熱孔２２ｆが適宜箇所に設けられている。シート対向部２２ｂは、図２に示すように、背面側へ突出して背面視が縦長の縦長リブ構造２２ｃと、横長の横長リブ構造２２ｄとを備える。縦長リブ構造２２ｃは、被締結板片４５ｂに対向しており、ネジ、ビス等の締結部材によってバックライトシャーシ４５に締結されている。また、縦長リブ構造２２ｃ及び横長リブ構造２２ｄは、反射シート４４に当接するシート当接部位２２ｇを裏面側に備える。なお、図２に示す例では、１本の横長リブ構造２２ｄがバックキャビネット２２の上部に形成され、縦長リブ構造２２ｃは横長リブ構造２２ｄから下方へ伸びるように２本形成されているが、縦長リブ構造２２ｃ及び横長リブ構造２２ｄを設ける位置及び数は特にこれに限定されない。また、縦長リブ構造２２ｃ及び横長リブ構造２２ｄの幅及び長さも特に限定されない。
【００２９】
図９は、バックキャビネット２２のシート当接部位２２ｇを示した正面図である。シート当接部位２２ｇは、縦長リブ構造２２ｃ及び横長リブ構造２２ｄから正面側に突出した正面視ハニカム状の板片であり、正面側端部が反射シート４４に当接している。
【００３０】
このように構成された表示装置にあっては、バックライトシャーシ４５の寸法を縮小することによる省材料及び軽量化を実現し、かつ光漏れの問題を解決することができる。
【００３１】
また、バックキャビネット２２の仕切構造２２ｅと、バックライトシャーシ４５の当接部４５ａとが当接しているため、バックキャビネット２２と、バックライトシャーシ４５の平面部分とを面で当接させる場合に比べ、反射シート４４からバックキャビネット２２側に漏れ出た光が、バックライトシャーシ４５に対向している空間に侵入することをより確実に防止することができる。
【００３２】
更に、バックライトシャーシ４５は背面側に突出した当接部４５ａ、即ち凸構造を有するため、表示装置の曲げ強度を向上させることができる。
【００３３】
更にまた、バックキャビネット２２は縦長リブ構造２２ｃ及び横長リブ構造２２ｄを備え、バックライトシャーシ４５は該縦長リブ構造２２ｃに締結されているため、バックライトシャーシ４５で覆われていない部分の曲げ強度を向上させることができる。
【００３４】
更にまた、バックキャビネット２２のシート当接部位２２ｇが反射シート４４に当接しているため、反射シート４４の浮きを防止することができる。
【００３５】
更にまた、シート当接部位２２ｇはハニカム構造をなしているため、バックライトシャーシ４５で覆われていない部分の曲げ強度を向上させることが可能であり、反射シート４４の浮きをより効果的に防止することができる。
【００３６】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００３７】
１  液晶表示パネル
２  キャビネット
３  スタンド
４  バックライト装置
２１  フロントキャビネット
２２  バックキャビネット
２２ａ  シャーシ対向部
２２ｂ  シート対向部
２２ｃ  縦長リブ構造
２２ｄ  横長リブ構造
２２ｅ  仕切構造
２２ｆ  放熱孔
２２ｇ  シート当接部位
４１  光源
４２  導光板
４３  光学シート
４４  反射シート
４５  バックライトシャーシ
４５ａ  当接部
４５ｂ  被締結板片
５１  電源回路
５２  映像処理回路
【図１】
2013254155.tif 000003
【図２】
2013254155.tif 000004
【図３】
2013254155.tif 000005
【図４】
2013254155.tif 000006
【図５】
2013254155.tif 000007
【図６】
2013254155.tif 000008
【図７】
2013254155.tif 000009
【図８】
2013254155.tif 000010
【図９】
2013254155.tif 000011